(57)【要約】【課題】位置ＩＤの変換定数を自動又は手動で、かつ定期的或いは非定期に設定することで位置ＩＤを暗号化することで、より高度に安全管理を行えるようにしたＩＤ暗号化による安全管理システムを提供すること。【解決手段】固定側に配置したコントローラＣＴＬと、人が携行するようにしたタグＴとの間を光信号及び／又は電波にて送受信し、認証用データベースにおいて判定して位置ＩＤ及びタグＩＤの特定を行い、かつその判定結果により各種の防犯管理用機器を操作するようにした安全管理システムにおいて、コントローラＣＴＬによるＩＤ暗号化を、位置ＩＤの変換定数を自動的に、かつ定期的又は非定期的に変化させるよう設定するようにする。【選択図】図１
2006113662.tif 000002
【特許請求の範囲】
【請求項１】
固定側に配置したコントローラと、人が携行するようにしたタグとの間を光信号及び／又は電波にて送受信し、認証用データベースにおいて判定して位置ＩＤ及びタグＩＤの特定を行い、かつその判定結果により各種の防犯管理用機器を操作するようにした安全管理システムにおいて、コントローラによるＩＤ暗号化を、位置ＩＤの変換定数を自動的に、かつ定期的又は非定期的に変化させるよう設定するようにしたことを特徴とするＩＤ暗号化による安全管理システム。
【請求項２】
位置ＩＤの変換定数の設定を、手動にて定期的又は非定期的に変化させるようにしたことを特徴とする請求項１記載のＩＤ暗号化による安全管理システム。
【発明の詳細な説明】
【技術分野】
【０００１】
本発明は、ＩＤ暗号化による安全管理システムに関し、特に、タグ不携帯及び携帯タグの正規、不正規を識別して入退場の管理を行う管理システムにおいて、位置ＩＤの変換定数を自動又は手動で、かつ定期的或いは非定期に設定することで位置ＩＤを暗号化して、より高度に安全管理を行うようにしたＩＤ暗号化による安全管理システムに関するものである。
【背景技術】
【０００２】
従来、タグを利用して入退場者を管理するようにした管理システムとしては、アンテナを備えたタグ受信器と人或いは車両等の移動物体に配設するタグとより構成するＲＦＩＤを、施設の出入口或いはその近傍に配設し、これによりタグを所有した許可者とタグを所有しない非許可者とを識別して施設への入退場を正確に管理するようにした入退場管理システム（特許文献１参照）や、さらには波長が異なる複数の赤外線発信装置と複数の人がそれぞれ所持した複数のタグとを組み合わせて各タグ所有者の個別的な出入りを正確に管理するようにした入退場管理システム（特許文献２参照）が提案されている。
【０００３】
ところで、タグを利用した入退場者の管理システムにおいては、施設へ入退場する人が指定されたタグを携行することで、入退場者の許可と非許可との識別を、該タグに予め入力された位置ＩＤにより行うようにしているから、施設内へ一旦入場すれば許可時間を超過して引き続き施設内に留まるような場合、或いは不正侵入者が特定のタグを不正に携行するような場合でも、タグに予め入力された位置ＩＤを簡易に変更することができないので、正規のタグを携行していれば、そのタグ携行者が許可された正規の者か、不正に所持している非許可者かを識別できないので管理の点において限界があり、高度の安全管理が行えないという問題があった。
【特許文献１】特開２００２−３３４３８２号公報
【特許文献２】特開２００３−２１６７９号公報
【発明の開示】
【発明が解決しようとする課題】
【０００４】
本発明は、上記従来の管理システムの有する問題点に鑑み、位置ＩＤの変換定数を自動又は手動で、かつ定期的或いは非定期に設定することで位置ＩＤを暗号化することで、より高度に安全管理を行えるようにしたＩＤ暗号化による安全管理システムを提供することを目的とする。
【課題を解決するための手段】
【０００５】
上記目的を達成するため、本発明のＩＤ暗号化による安全管理システムは、固定側に配置したコントローラと、人が携行するようにしたタグとの間を光信号及び／又は電波にて送受信し、認証用データベースにおいて判定して位置ＩＤ及びタグＩＤの特定を行い、かつその判定結果により各種の防犯管理用機器を操作するようにした安全管理システムにおいて、コントローラによるＩＤ暗号化を、位置ＩＤの変換定数を自動的に、かつ定期的又は非定期的に変化させるよう設定するようにしたことを特徴とする。
【０００６】
また、位置ＩＤの変換定数の設定を、手動にて定期的又は非定期的に変化させるようにすることができる。
【発明の効果】
【０００７】
本発明のＩＤ暗号化による安全管理システムによれば、固定側に配置したコントローラと、人が携行するようにしたタグとの間を光信号及び／又は電波にて送受信し、認証用データベースにおいて判定して位置ＩＤ及びタグＩＤの特定を行い、かつその判定結果により各種の防犯管理用機器を操作するようにした安全管理システムにおいて、コントローラによるＩＤ暗号化を、位置ＩＤの変換定数を自動的に、かつ定期的又は非定期的に変化させるよう設定するようにしているから、位置ＩＤの変換定数を自動的に変化させることができ、簡単にＩＤの暗号化を行うことができるため、正規のタグであっても、予め設定された範囲を超えての不正使用を防止することができるので、より高度に安全管理を行うことができる。
【０００８】
また、位置ＩＤの変換定数の設定を、手動にて定期的又は非定期的に変化させるようにしているから、使用状況などに応じて任意に簡単にＩＤ暗号化ができるので、簡単な操作で、より高度に安全管理を行うことができる。
【発明を実施するための最良の形態】
【０００９】
以下、本発明のＩＤ暗号化による安全管理システムの実施の形態を、図面に基づいて説明する。
【実施例１】
【００１０】
図１に、本発明のＩＤ暗号化による安全管理システムの一実施例を示す。
このＩＤ暗号化による安全管理システムは、図１に示すように、工場、事務所、役所、その他の建物、構築物等固定側、特に限定されるものではないが、例えば、壁や天井面に配設するようにしたコントローラＣＴＬと、人が携行、所持するようにしたタグＴとより構成し、このコントローラＣＴＬ、タグＴの間を、光信号及び／又は電波にて送受信し、このタグからの受信信号をコントローラ側に配設した認証用データベースと判定し、位置ＩＤ及びタグＩＤの特定を行い、その判定結果により、安全管理を行うようにするとともに、前記位置ＩＤの変換定数を変化させるようにし、これによりＩＤ暗号化を行うようにする。
【００１１】
本発明のＩＤ暗号化による安全管理システムの詳細を図１に示すフロー図に従って説明する。
このコントローラＣＴＬは、特に限定されるものではないが、例えば、図１に示すように、位置ＩＤ生成回路１と認証判定回路２及び位置ＩＤ生成回路１にて形成された位置ＩＤを変換して暗号化するための変換定数生成回路１０、ＩＤ変換回路１１、ＩＤ逆変換回路１２とより構成する計算機ＣＰＵと、外部Ｉ／Ｏ制御回路３と、前記位置ＩＤ生成回路１を経てＩＤ変換回路１１にて変換された変換後位置ＩＤの信号を光信号に変換するようにしてＩＤ変換回路１１に接続する光信号変換回路４と、タグＩＤと位置ＩＤをキーにデータベースから認証結果を取得するよう認証判定回路２に接続した認証用データベース５と、認証判定回路２と外部Ｉ／Ｏ制御回路３との間に接続した操作機器等を制御するようにした制御回路６、及び合成ＩＤを位置ＩＤとタグＩＤに変換するようにしたＩＤ変換回路７とから構成する。
なお、必要に応じて該光信号変換回路４をコントローラＣＴＬの外部に配設することもできる。
【００１２】
また、コントローラＣＴＬの光信号変換回路４に赤外線発光器８、例えば、発光ＬＥＤを接続して変換後位置ＩＤからの信号を光信号に変換した赤外線を発光させ、人又は車両等の移動体側、特に限定されるものではないが、例えば、人が携行又は所持したタグＴにてこの赤外線発光を受光するように構成する。
【００１３】
この赤外線発光器８、例えば、発光ＬＥＤは、１台のコントローラＣＴＬの光信号変換回路４に、複数個を接続することができる。この場合、赤外線発光器８は、入退場者を検知する箇所、例えば、ゲートの内外位置に、或いは仮想ゲート内外に、それぞれ配設し、各赤外線発光器８とコントローラＣＴＬとの間を電気的に接続するようにし、これにより複数の仮想ゲート内の入退場者を管理できるようにする。
【００１４】
このタグＴは、人、例えば、作業者等が携行又は所持する場合、名札やバッチの如く形成して胸に装着するか首から吊り下げるようにして外部の赤外線発光器８から直接赤外線発光を受光できるようにするか、又は車両に装着する場合には、車両のボンネットなど外部からの赤外線発光を受光できるように構成する。
【００１５】
このタグＴの構成は、図１に示すように、１つのケース内に、赤外線発光を受光できるようにした受光フォトダイオード２０と、この受光フォトダイオード２０にて受光した光信号を位置ＩＤに変換するようにした受信回路２１と、この位置ＩＤとタグＩＤ（固有ＩＤ）を合成するようにしたＩＤ合成回路２２と、この合成ＩＤを電波、例えば、無線信号に合成する発信回路２３とより構成する。
【００１６】
このタグＴから発信される無線信号を受信するための受信器９を、外部の固定側、特に限定されるものではないが、例えば、コントローラＣＴＬの近傍に配置し、コントローラＣＴＬの外部Ｉ／Ｏ制御回路３と電気的に接続し、こりにより受信器９にて受信した無線信号をコントローラＣＴＬに投入できるように配設する。
この受信器９は１台で複数のタグからの信号を受信するようにすることもできるが、各仮想ゲート毎に１台の受信器９を配設し、各受信器９とコントローラＣＴＬの外部Ｉ／Ｏ制御回路３とを接続するようにすることもできる。
なお、この無線信号の送受信は、特に限定されるものではないが、例えば、ＲＦＩＤ（Radio Frequency Identifiation（電波方式認識））にて行うことができる。
【００１７】
また、コントローラＣＴＬの外部Ｉ／Ｏ制御回路３には、操作機器として、特に限定されるものではないが、例えば、図示のように、警報音を発するかさらには警報音と一緒に警報灯を点灯するようにした警報器等２７、及び開閉式ゲートに装備されたゲート電気錠等２６を接続する。
なお、この操作機器としては、ゲート電気錠等２６、警報器等２７のほかに、一時画像蓄積可能としたカメラ、カラーボールを侵入者に向かって投げつけるようにしたカラーボール投てき器、異常発生認承時のみの画像を映し出すようにしたモニター等、の各種操作機器の１又は２以上を組み合わせて接続するようにすることもできる。
【００１８】
次に、本発明の作用を実施例について説明する。
タグ所持者が予め設定されたコントローラＣＴＬ、タグ間の赤外線の受光エリア内、例えば、仮想ゲート内に侵入すると、該仮想ゲート内には常時コントローラＣＴＬから暗号化された変換後位置ＩＤが赤外線信号に変換されて赤外線発光器８、例えば、発光ＬＥＤから発光されている。
この場合、位置ＩＤ生成回路１にて形成された位置ＩＤをＩＤ変換回路１１に投入するとともに、自動又は手動により、定期的或いは非定期的に変換定数生成回路１０より変換定数ｎをＩＤ変換回路１１に投入することで、位置ＩＤは該ＩＤ変換回路１１にて暗号化された変換後位置ＩＤとなる。この暗号化された変換後位置ＩＤを光信号変換回路４にて光信号とし、これを赤外線発光器８（発光ＬＥＤ）より赤外線として発光されている。
この暗号化された変換後位置ＩＤの光線を、タグＴ側の受光フォトダイオード２０にて受光し、この光信号を受信回路２１にて位置ＩＤに変換し、次いでＩＤ合成回路２２により、この位置ＩＤとタグＩＤ（固有ＩＤ）を合成した合成ＩＤを発信回路２３よりアンテナ２４、２５を介して電波、例えば、無線信号にて発信する。
【００１９】
この無線信号となった合成ＩＤを受信器９のアンテナ２５にて受信し、その受信信号をコントローラＣＴＬ内の外部Ｉ／Ｏ制御回路３に伝達する。この受信した合成ＩＤをコントローラＣＴＬ内のＩＤ変換回路７にて解析し、合成ＩＤを位置ＩＤ（変換後）とタグＩＤ（固有ＩＤ）の信号に分解し、タグＩＤを認証判定回路２に、位置ＩＤをＩＤ逆変換回路１２にそれぞれ投入する。
【００２０】
このＩＤ逆変換回路１２には、ＩＤ変換回路７にて解析された位置ＩＤ（変換後）と変換定数生成回路１０からの変換定数ｎが投入されているので、茲で位置ＩＤ（変換後）は逆変換され位置ＩＤとなり、この位置ＩＤが前記認証判定回路２に投入されると、この認証判定回路２で、前記タグＩＤと位置ＩＤを認証用データベース５から認証結果を取得して判定し、その認証結果を制御回路６を経て制御信号として外部Ｉ／Ｏ制御回路３に伝達する。
この認証判定結果が良（ＯＫ）であれば、外部Ｉ／Ｏ制御回路３よりの制御信号にてゲートの開閉扉等に取り付けたゲート電気錠２６を解錠してタグ携行者を通行可能とする。
また、反対に認証判定結果が異常（ＮＧ）と判定した場合には、外部Ｉ／Ｏ制御回路３に接続された防犯管理用の各種機器、例えば、警報器２７を操作するよう指令する。
【００２１】
これにより、タグＩＤは、計算機ＣＰＵの変換定数生成回路１０、ＩＤ変換回路１１、ＩＤ逆変換回路１２により、自動的に或いは手動にて、定期的或いは非定期的に変換定数にて変換され、暗号化されているので、タグの不正使用を未然に防止することができ、より高度の安全管理が行えるものとなる。
【００２２】
以上、本発明のＩＤ暗号化による安全管理システムについて、実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明のＩＤ暗号化による安全管理システムは、位置ＩＤを暗号化して赤外線発光器よりタグにて受光し、これをタグにて位置ＩＤとタグＩＤを合成ＩＤに変換し、この合成ＩＤを信号として発信し、これを受信器にて受信し、再びコントローラにて変換することによりタグの不正使用を防止するという特性を有していることから、安全管理システムの用途に好適に用いることができるほか、例えば、病院や福祉施設において徘徊する老人などの監視や防犯の用途にも用いることができる。
【図面の簡単な説明】
【００２４】
【図１】本発明のＩＤ暗号化による安全管理システムの一実施例を示す説明フロー図である。
【符号の説明】
【００２５】
ＣＴＬ  コントローラ
Ｔ    タグ
ＣＰＵ  計算機
１    位置ＩＤ生成回路
２    認証判定回路
３    外部Ｉ／Ｏ制御回路
４    光信号変換回路
５    認証用データベース
６    制御回路
７    ＩＤ変換回路
８    赤外線発光器（発光ＬＥＤ）
９    受信器
１０  変換定数生成回路
１１  ＩＤ変換回路
１２  ＩＤ逆変換回路
２０  受光フォトダイオード
２１  受信回路
２２  ＩＤ合成回路
２３  発信回路
２４  アンテナ
２５  アンテナ
２６  ゲート電気錠
２７  警報器
【図１】
2006113662.tif 000003
【手続補正書】
【提出日】平成16年10月20日(2004.10.20)
【手続補正１】
【補正対象書類名】明細書
【補正対象項目名】００１６
【補正方法】変更
【補正の内容】
【００１６】
このタグＴから発信される無線信号を受信するための受信器９を、外部の固定側、特に限定されるものではないが、例えば、コントローラＣＴＬの近傍に配置し、コントローラＣＴＬの外部Ｉ／Ｏ制御回路３と電気的に接続し、こりにより受信器９にて受信した無線信号をコントローラＣＴＬに投入できるように配設する。
この受信器９は１台で複数のタグからの信号を受信するようにすることもできるが、各仮想ゲート毎に１台の受信器９を配設し、各受信器９とコントローラＣＴＬの外部Ｉ／Ｏ制御回路３とを接続するようにすることもできる。
なお、この無線信号の送受信は、特に限定されるものではないが、例えば、ＲＦＩＤ（Radio Frequency Identification（電波方式認識））にて行うことができる。